(57)【要約】      （修正有）【課題】飼い主が猫じゃらし本体を数メートルから数十メートルといった先まで遠投することを可能にし、猫じゃらし本体の種類を容易に素早く取り換えることができる投げ竿型猫じゃらしの連結具を提供する。【解決手段】投げ竿の先端部から延び出たライン６と猫じゃらし本体から引き出されたハリス７とを連結する連結具１０に、錘としての機能を持たせる。連結具１０の第１連結部５０が貫通孔５１を有し、第２連結部６０が凹入部６１と溝形部６２とを有する。貫通孔５１の開口部壁面を外拡がりの傾斜面５４に形成する。錘としての機能を発揮する連結具１０を、金属製のコア体２０と樹脂製の被覆カバー４０とで構成する。【選択図】図７
0003213957.tif 000002
【実用新案登録請求の範囲】
【請求項１】
投げ竿の先端部から延び出た糸状体に猫じゃらし本体が連結されている投げ竿型猫じゃらしに用いられる連結具であって、
上記糸状体を上記投げ竿の先端部から延び出た一方側糸状体と上記猫じゃらし本体から引き出された他方側糸状体とに中間部で分断することによって形成された上記一方側糸状体が連結される第１連結部と、上記他方側糸状体が連結される第２連結部と、を有し、かつ、錘としての機能を発揮する錘構成体でなることを特徴とする投げ竿型猫じゃらしの連結具。
【請求項２】
上記第１連結部が上記一方側糸状体の先端部を挿通可能な貫通孔を有し、上記第２連結部が、上記他方側糸状体に連結された被係合体を入出可能な凹入部と、上記被係合体を上記凹入部に挿入するのに伴ってその被係合体に連結されている上記他方側糸状体を入出可能な溝形部と、を有する請求項１に記載した投げ竿型猫じゃらしの連結具。
【請求項３】
上記貫通孔の両端の開口部壁面のそれぞれが、外拡がりの傾斜面に形成されている請求項２に記載した投げ竿型猫じゃらしの連結具。
【請求項４】
上記溝形部が、上記他方側糸状体を挟圧状態で挟み込み可能な溝幅を有している請求項２又は請求項３のいずれか１項に記載した投げ竿型猫じゃらしの連結具。
【請求項５】
上記錘構成体が細長いカプセル形の外形を有すると共に、その錘構成体が金属製のコア体とそのコア体の全体を覆う樹脂製の被覆カバーとでなり、上記被覆カバーに上記傾斜面が設けられている請求項３又は請求項４のいずれか１項に記載した投げ竿型猫じゃらしの連結具。
【請求項６】
上記被覆カバーが、その軸方向中間部でキャップ形の第１カバー体と第２カバー体とに２分割されていて、それらの第１カバー体と第２カバー体とが、一端が面板部によって閉じられた有底円筒体でなる上記コア体に嵌着されている請求項５に記載した投げ竿型猫じゃらしの連結具。
【考案の詳細な説明】
【技術分野】
【０００１】
本考案は、投げ竿型猫じゃらしの連結具、詳しくは、投げ竿の先端部から延び出た糸状体と猫じゃらし本体から引き出された糸状体とを連結することに用いられる投げ竿型猫じゃらしの連結具に関する。
【背景技術】
【０００２】
猫に遺伝的に備わっている狩猟本能を刺激して猫を遊ばせることに用いられる猫じゃらしは広く知られている。一般的な猫じゃらしは、リボンや鳥、昆虫の羽などを象った猫じゃらし本体から引き出した細紐を、長さ１メートル程度の竿の先に繋いでなる。また、棒状部分の先端に、猫じゃらし状の装飾体から引き出された紐をつないだものが、猫のおもちゃとして先行例によって提案されている（たとえば、特許文献１参照）。
【先行技術文献】
【特許文献】
【０００３】
【特許文献１】特開２００３−２４５０２６号公報
【考案の概要】
【考案が解決しようとする課題】
【０００４】
しかしながら、従来より知られている猫じゃらしは、竿や棒の先から猫じゃらし本体に至る紐の長さが１メートル程度と短く、飼い主の周りで猫じゃらし本体を動かして猫を遊ばせることしかできなかった。
【０００５】
本考案は以上の状況に鑑みてなされたものであり、上記紐に相応する糸状体を中間部で分断することによって形成された一方側と他方側の糸状体を連結する連結具を提案することにより、飼い主が猫じゃらし本体を数メートルから数十メートルといった先まで遠投することが可能になり、また、猫じゃらし本体の種類を容易に素早く取り換えることができるようにすることを目的としている。
【課題を解決するための手段】
【０００６】
本考案に係る投げ竿型猫じゃらしの連結具は、投げ竿の先端部から延び出た糸状体に猫じゃらし本体が連結されている投げ竿型猫じゃらしに用いられる連結具であって、上記糸状体を上記投げ竿の先端部から延び出た一方側糸状体と上記猫じゃらし本体から引き出された他方側糸状体とに中間部で分断することによって形成された上記一方側糸状体が連結される第１連結部と、上記他方側糸状体が連結される第２連結部と、を有し、かつ、錘としての機能を発揮する錘構成体でなる、というものである。このように構成された投げ竿型猫じゃらしの連結具によると、投げ竿の先端部から延び出た一方側糸状体と猫じゃらし本体から引き出された他方側糸状体とが錘構成体によって連結され、その錘構成体が錘としての機能を発揮するので、一方側糸状体の長さに見合って猫じゃらし本体を遠投することができるようになる。
【０００７】
本考案では、上記第１連結部が上記一方側糸状体の先端部を挿通可能な貫通孔を有し、上記第２連結部が、上記他方側糸状体に連結された被係合体を入出可能な凹入部と、上記被係合体を上記凹入部に挿入するのに伴ってその被係合体に連結されている上記他方側糸状体を入出可能な溝形部と、を有する、という構成を採用することが可能である。この構成を採用すると、一方側糸状体を第１連結部の貫通孔に通した状態で錘構成体に連結することが可能である。また、他方側糸状体の被係合部を第２連結部の凹入部に挿入することと併せて、その他方側糸状体を第２連結部の溝形部に挿入するだけで、他方側糸状体を錘構成体に連結することが可能である。そして、他方側糸状体の被係合部を第２連結部の凹入部から抜き出したり他方側糸状体を溝形部から抜き出したりするだけで、その他方側糸状体を錘構成体から取り外すことが可能である。したがって、錘構成体には異なる形や種類の猫じゃらし本体から引き出された他方側糸状体を容易に着け換えることが可能になる。
【０００８】
本考案では、上記貫通孔の両端の開口部壁面のそれぞれが、外拡がりの傾斜面に形成されていることが望ましい。この構成を採用すると、貫通孔の開口部に鋭く直角に尖ったエッジ部が存在しなくなるので、貫通孔に通した一方側糸状体が貫通孔の開口部のエッジ部と擦れて早期に切断されてしまうという事態が抑制される。
【０００９】
本考案では、上記溝形部が、上記他方側糸状体を挟圧状態で挟み込み可能な溝幅を有していることが望ましい。この構成であると、猫じゃらしを遠投したりするときに、他方側糸状体が錘構成体の第２連結部から外れてしまうという事態が起こりにくくなる。
【００１０】
本考案では、上記錘構成体が細長いカプセル形の外形を有すると共に、その錘構成体が金属製のコア体とそのコア体の全体を覆う樹脂製の被覆カバーとでなり、上記被覆カバーに上記傾斜面が設けられていることが望ましい。この構成によると、金属製のコア体によって錘構成体に要求される重量を確保することが容易になるので、必要な重量を備えた錘構成体の小サイズ化を図りやすくなる。また、樹脂製の被覆カバーが金属製のコア体の全体を覆っているために金属製のカバー体が露出しなくなり、そのことが猫に当たったときの安全性を高めることに役立つほか、上記貫通孔に通した一方側糸状体が金属製のコアの貫通孔の壁面と擦れて早期に切断してしまうという事態を防ぐことにも役立つ。
【００１１】
本考案では、上記被覆カバーが、その軸方向中間部でキャップ形の第１カバー体と第２カバー体とに２分割されていて、それらの第１カバー体と第２カバー体とが、一端が面板部によって閉じられた有底円筒体でなる上記コア体に嵌着されている、という構成を採用することが可能である。この構成を採用すると、キャップ形の第１カバー体と第２カバー体とをコア体に嵌合することによって錘構成体を容易に組み立てることができるようになる。
【考案の効果】
【００１２】
以上のように、本考案に係る投げ竿型猫じゃらしの連結具によると、飼い主が猫じゃらし本体を数メートルから数十メートルといった先まで遠投することが可能になり、また、猫じゃらし本体の種類を容易に素早く取り換えることができるようになる。
【図面の簡単な説明】
【００１３】
【図１】本考案に係る連結具を用いた投げ竿型猫じゃらしを例示した概略側面図である。
【図２】本考案に係る連結具の平面図である。
【図３】図２のＩＩＩ矢視図である。
【図４】図２のＩＶ矢視図である。
【図５】コア体の概略斜視図である。
【図６】図２のＶＩーＶＩ線に沿う部分の縦断側面図である。
【図７】図１の連結具の拡大縦断側面図である。
【図８】連結具の組立工程を例示した説明図である。
【考案を実施するための形態】
【００１４】
図１は本考案に係る連結具１０を用いた投げ竿型猫じゃらしＡを例示した概略側面図である。この投げ竿型猫じゃらしＡは、投げ竿１と、投げ竿１の把手部２に取り付けられたリール３と、猫じゃらし本体４と、を備えていると共に、リール３から引き出されて投げ竿１の先端から延び出た糸状体５が、投げ竿１の先端部から延び出た一方側糸状体６と猫じゃらし本体４から引き出された他方側糸状体７とに中間部で分断されていて、一方側糸状体６と他方側糸状体７とが連結具１０を介して連結されている。この投げ竿型猫じゃらしＡは魚釣り具に例えることができ、投げ竿１が魚釣り具の釣り竿に相当し、一方側糸状体６が魚釣り具の道糸（ライン）に相当し、他方側糸状体７が魚釣り具の仕掛け糸（ハリス）に相当している。さらに、連結具１０が魚釣り具の錘に相当している。そこで、以下の説明を簡略にするために、一方側糸状体６をライン６、他方側糸状体７をハリス７と称することにする。
【００１５】
ライン６には、ナイロン、ポリエステル、ポリエチレンなどで作られた魚釣り用の太さ４号程度の合成繊維糸を好適に用いることができる。これに対し、ハリス７には、伸縮性を発揮する合成繊維の撚り糸やゴム糸を好適に用いることができる。猫じゃらし本体４には、リボンや植物の穂、昆虫などの虫や蝶、羽、といった種々のものを象った種々の形や種類がある。
【００１６】
図２は連結具１０の平面図、図３は図２のＩＩＩ矢視図、図４は図２のＩＶ矢視図である。図２〜図４に示したように、図示例の連結具１０は、細長いカプセル形の外形を有していて、コア体２０とそのコア体２０の全体を覆う被覆カバー４０とでなり、コア体２０には真鍮などの金属の加工品が用いられているのに対して、被覆カバー４０には、本来的に金属よりも柔軟で軽量な性質を有する樹脂成形体が用いられている。この連結具１０は錘としての機能を発揮する錘構成体としても形成されている。そのため、飼い主が投げ竿２を持って猫じゃらし本体４を遠投するようなときに、錘構成体としての連結具１０が、猫じゃらし本体４の到達距離を長くすることに役立つだけでなく、風などの影響を受けずに狙い場所をある程度正確に定めることにも役立つ。
【００１７】
図示例のように、錘構成体としての連結具１０を、金属製のコア体２０とコア体２０の全体を覆う被覆カバー４０とによって形成しておくと、金属製のコア体２０によって錘構成体に要求される重量を確保することが容易になり、必要な重量を備えた錘構成体の小サイズ化を図りやすくなるだけでなく、樹脂製の被覆カバー４０が金属製のコア体２０の全体を覆っているために金属製のコア体２０が外部に露出しなくなり、そのことが猫に当たったときの安全性を高めることに役立つ。
【００１８】
図５はコア体２０の概略斜視図である。また、図６は図２のＶＩーＶＩ線に沿う部分の縦断側面図である。図５のように、コア体２０は、一端が面板部２１によって閉じられた有底円筒体でなる。また、図２又は図６に示したように、細長いカプセル形の外形を有する錘構成体としての連結具１０は、長手方向の一端部に第１連結部５０を有し、同他端部に第２連結部６０を有し、第１連結部５０は、連結具１０の一端部に形成された貫通孔５１を有している。図例の連結具１０において、この貫通孔５１は、コア体２０の内部空間Ｓと、コア体２０の円筒状の胴部２２の周方向反対側の２箇所に形成された円形孔５２，５２と、被覆カバー４０の周方向反対側の２箇所に形成された開口部５３，５３とでなり、その開口部５３，５３の壁面のそれぞれが、外拡がりの傾斜面５４，５４に形成されている。これに対し、第２連結部６０は、連結具１０の他端部に形成された凹入部６１と溝形部６２とを有している。図例の連結具１０において、凹入部６１は、コア体２０の内部空間Ｓと、コア体２０の円筒状の胴部２２の周方向１箇所に形成された径大な円形孔６３と、被覆カバー４０の周方向１箇所に形成された径大な円形孔６４とでなり、また、溝形部６２は、コア体２０の胴部２２から面板部２１の中心部に亘って形成されて上記円形孔６３に繋がっている切り込み６５と、被覆カバー４０の外周部から他端部の径方向中心部に亘って形成されて上記円形孔６４に繋がっている切り込み６６とでなる。そして、上記貫通孔５１はライン６の先端部を挿通可能な直径を有している。また、上記凹入部６１の直径は、上記貫通孔５１の直径や上記溝形部６２の溝幅に比べて十分に大きな直径を有していて、ハリス７の端部に連結された被係合体７１（後述する）をその凹入部６１に容易に出し入れすることができるようになっている。
【００１９】
図７は図１の連結具１０の拡大縦断側面図である。同図のように、連結具１０の第１連結部５０には、投げ竿１の先端部から延び出たライン６が連結され、第２連結部６０には、猫じゃらし本体４から引き出されたハリス７が連結されている。具体的に説明すると、第１連結部５０とライン６との連結箇所では、貫通孔５１に挿通させたライン６の端部をループ状にしてライン６に結束している。また、第２連結部６０とハリス７との連結箇所では、ハリス７の端部に連結した球状の被係合体７１が凹入部６１を形成しているコア体２０の内部空間Ｓに収容され、かつ、溝形部６２にハリス７が挿入されていて、被係合体７１がコア体２０の面板部２１に係合している。被係合体７１をコア体２０の内部空間Ｓに収容させるときには、図７に仮想線で示したように被係合体７１を凹入部６１に臨ませてから矢印Ｙのように被係合体７１をコア体２０の内部空間Ｓに落とし込むだけである。そして、このようにして被係合体７１をコア体２０の内部空間Ｓに落とし込むことにより、それに伴ってハリス７を溝形部６２に容易に挿入することができる。被係合体７１やハリス７を第２連結部６０から取り外すことも容易である。したがって、異なる形や種類の猫じゃらし本体４をハリス７を介して連結具１０に迅速に着け換えることが容易になる。
以上説明したように、連結具１０によってライン６とハリス７とを連結した状態で、飼い主が投げ竿１で猫じゃらし本体４を投げると、連結具１０が錘構成体によって形成されていることにより、風などの影響をあまり受けずに猫じゃらし本体４を狙い位置に投げることが可能である。また、飼い主が投げ竿１を持って猫じゃらし本体４を遠投するようなときでも、錘構成体としての連結具１０が、猫じゃらし本体４の到達距離を長くすることに役立つ。
【００２０】
ところで、この投げ竿型猫じゃらしにおいて、ライン６は連結具１０に設けられた第１連結部５０の貫通孔５１に挿通されているので、猫じゃらし本体４を投げるときに、ライン６が貫通孔５１のエッジ部と擦れあって早期に切断されてしまうという事態の起こるおそれが危惧されるけれども、この実施形態では、図７で説明したように、貫通孔５１の両端の開口部５３，５３の壁面のそれぞれが、外拡がりの傾斜面５４に形成されているために、貫通孔５１に直角に尖ったようなエッジ部が存在していない。その結果、貫通孔５１に挿通したライン６が早期に切断されてしまうという事態が起こりにくい。この効果は、ライン６と擦れ合う傾斜面５４が、金属よりも柔らかい樹脂製の被覆カバー４０に形成されていることによっていっそう顕著に発揮される。また、樹脂製の被覆カバー４０が金属製のコア体２０の全体を覆っているために、金属製のコア体２０が露出しなくなり、そのことが猫に当たったときの安全性を高めることに役立つ。
【００２１】
この実施形態において、連結具１０の第２連結部６０の溝形部６２は、ハリス７を挟圧状態で挟み込むことができる程度の溝幅に定めておくことが望ましい。こうしておくと、溝形部６２に挿入されたハリス７がその溝形部６２によって挟持された状態になって容易に溝形部６２から外れなくなる。そのため、猫じゃらし本体４を投げたときの衝撃で、溝形部６２や凹入部６１からハリス７や被係合体７１が脱落してしてしまうということが起こりにくい。
【００２２】
図８は連結具１０の組立工程を例示した説明図である。この実施形態では、被覆カバー４０が、その軸方向中間部でキャップ形の第１カバー体４１と第２カバー体４２とに２分割されている。このように、被覆カバー４０をキャップ形の第１カバー体４１と第２カバー体４２とに２分割しておくと、連結具１０を組み立てるときに、図８のように、それらの第１カバー体４１と第２カバー体４２とをコア体２０の一端側と他端側とから嵌着するだけでだけで済む。なお、コア体２０と第１カバー体４１及び第２カバー体４２とは、接着剤によって接合しておいてもよい。
【００２３】
上記した実施形態では、連結具１０を金属製のコア体２０と樹脂製の被覆カバー４０とによって構成してあるけれども、この点は、連結具の全体を金属製として錘に要求される重量を得てもよく、また、錘構成体としての連結具に要求される重量を得ることができるのであれば、連結具の全体を樹脂成形体によって構成してもよい。本考案に係る連結具において、第１連結部５０や第２連結部６０の具体的構成は、上記実施形態で説明したものに限定されない。特に、第１連結部５０の傾斜面５３を円弧状に形成しておくと、ライン６の切断をいっそう効果的に抑制することが可能である。また、連結具の外形も上記実施形態で説明したものに限定されない。
【符号の説明】
【００２４】
Ａ  投げ竿型猫じゃらし
１  投げ竿
４  猫じゃらし本体
５  糸状体
６  一方側糸状体（ライン）
７  他方側糸状体（ハリス）
１０  連結具（錘構成体）
２０  コア体
２１  面板部
４０  被覆カバー
４１  第１カバー体
４２  第２カバー体
５０  第１連結部
５１  貫通孔
５３  開口部
５４  傾斜面（開口部の壁面）
６０  第２連結部
６１  凹入部
６２  溝形部
７１  被係合体
【図１】
0003213957.tif 000003
【図２】
0003213957.tif 000004
【図３】
0003213957.tif 000005
【図４】
0003213957.tif 000006
【図５】
0003213957.tif 000007
【図６】
0003213957.tif 000008
【図７】
0003213957.tif 000009
【図８】
0003213957.tif 000010
【手続補正書】
【提出日】平成29年10月13日(2017.10.13)
【手続補正１】
【補正対象書類名】実用新案登録請求の範囲
【補正対象項目名】全文
【補正方法】変更
【補正の内容】
【実用新案登録請求の範囲】
【請求項１】
投げ竿の先端部から延び出た糸状体に猫じゃらし本体が連結されている投げ竿型猫じゃらしに用いられる連結具であって、
上記糸状体を上記投げ竿の先端部から延び出た一方側糸状体と上記猫じゃらし本体から引き出された他方側糸状体とに中間部で分断することによって形成された上記一方側糸状体が連結される第１連結部と、上記他方側糸状体が連結される第２連結部と、を有し、かつ、錘としての機能を発揮する錘構成体でなることを特徴とする投げ竿型猫じゃらしの連結具。
【請求項２】
上記第１連結部が上記一方側糸状体の先端部を挿通可能な貫通孔を有し、上記第２連結部が、上記他方側糸状体に連結された被係合体を入出可能な凹入部と、上記被係合体を上記凹入部に挿入するのに伴ってその被係合体に連結されている上記他方側糸状体を入出可能な溝形部と、を有する請求項１に記載した投げ竿型猫じゃらしの連結具。
【請求項３】
上記溝形部が、上記他方側糸状体を挟圧状態で挟み込み可能な溝幅を有している請求項２に記載した投げ竿型猫じゃらしの連結具。
【請求項４】
上記貫通孔の両端の開口部壁面のそれぞれが、外拡がりの傾斜面に形成されている請求項２又は請求項３に記載した投げ竿型猫じゃらしの連結具。
【請求項５】
上記錘構成体が細長いカプセル形の外形を有すると共に、その錘構成体が金属製のコア体とそのコア体の全体を覆う樹脂製の被覆カバーとでなり、上記被覆カバーに上記傾斜面が設けられている請求項４に記載した投げ竿型猫じゃらしの連結具。
【請求項６】
上記被覆カバーが、その軸方向中間部でキャップ形の第１カバー体と第２カバー体とに２分割されていて、それらの第１カバー体と第２カバー体とが、一端が面板部によって閉じられた有底円筒体でなる上記コア体に嵌着されている請求項５に記載した投げ竿型猫じゃらしの連結具。